(57)【要約】【課題】複数の記録再生部を１つの筐体に備える映像記録再生装置においてタイマー予約登録時の録画先と録画モードを選択する際に録画先の変更によりその録画先に対応した録画モードでないと正しくタイマー予約登録が行えない問題点を解決することができる映像記録再生装置を提供すること。【解決手段】タイマー予約登録時に録画先を変更した場合に、その録画先に対応した録画モードを自動で選択し正しくタイマー予約登録を行い、また、タイマー予約登録時に録画モードを変更した場合に、その録画モードに対応した録画先を自動で選択し正しくタイマー予約登録を行うことで、前記課題を解決する。【選択図】図１
2005346861.tif 000002
【特許請求の範囲】
【請求項１】
録画モードを指定してタイマー予約を登録できる第１の記録再生部と、前記第１の記録再生部とは名称の異なる録画モードを指定してタイマー予約を登録できる第２の記録再生部とを１つの筐体に備える映像記録再生装置であって、前記第１の記録再生部および前記第２の記録再生部に対してタイマー予約内容を通知するタイマー予約通知部と、前記タイマー予約通知部に対して現在選択されている録画モードを通知する録画モード選択部と、前記タイマー予約通知部に対して現在選択されている録画先を通知する録画先選択部と、登録しようとしているタイマー予約内容を表示手段に表示する表示部とを備え、
前記タイマー予約通知部は、前記録画モード選択部と前記録画先選択部から通知された内容を前記録画先選択部の通知内容によって前記第１の記録再生部または前記第２の記録再生部を選択して、タイマー予約内容を通知することを特徴とする映像記録再生装置。
【請求項２】
録画先選択部で、録画先を第１の記録再生部から第２の記録再生部へ変更した際に、前記第２の記録再生部に対応した録画モードを自動で選択する手段を有することを特徴する請求項１記載の映像記録再生装置。
【請求項３】
録画モード選択部で、録画モードを第１の記録再生部に対応した録画モードから第２の記録再生部に対応した録画モードへ変更した際に、前記第２の記録再生部を録画先に自動で選択する手段を有することを特徴する請求項１記載の映像記録再生装置。
【請求項４】
録画先選択部で、録画先を第１の記録再生部から第２の記録再生部へ選択した際に、録画モード選択部で前記第２の記録再生部に対応した録画モードを自動で選択する際に、前記録画モード選択部で保持した前記第２の記録再生部の録画モードを選択する手段を有することを特徴する請求項１及び請求項２記載の映像記録再生装置。
【請求項５】
録画モード選択部で、録画モードを選択する際に、第１の記録再生部に対応した録画モードから第２の記録再生部に対応した録画モードへ変更することは出来ず、前記録画先選択部でしか録画先を選択できない手段を有することを特徴する請求項１記載の映像記録再生装置。
【請求項６】
複数のタイマー予約登録先である第１の記録再生部と第２の記録再生部に対して、タイマー予約における録画先を前記第１の記録再生部から前記第２の記録再生部に修正する際に、前記第１の記録再生部に登録されたタイマー予約内容を削除し、前記第２の記録再生部に同タイマー予約内容を新たに登録する一連の動作を自動で行うことを特徴とする請求項１記載の映像記録再生装置。
【発明の詳細な説明】
【技術分野】
【０００１】
本発明は、ＶＴＲ（ビデオテープレコーダー）とＤＶＤ（デジタル多用途ディＳく）とＨＤＤ（ハードディスクドライブ）といった記録再生部を１つの筐体内に複数個有する映像音声記録再生装置において、タイマー予約を登録する機能におけるものである。
【背景技術】
【０００２】
例えば、映画などの映像音声情報を記録するのに、従来から知られているアナログ的に記録する磁気テープ（ビデオテープ）や、近年の圧縮符号化技術の発達に伴い普及しつつあるデジタル的に記録するＤＶＤ（Ｄｉｇｉｔａｌ  Ｖｅｒｓａｔｉｌｅ  Ｄｉｓｃ）などが用いられている。磁気テープを駆動させて情報を記録／再生する装置としてはＶＣＲ（ビデオカセットレコーダー）などがあり、また、光ディスクを駆動させて情報を記録／再生する装置としてはＤＶＤレコーダーなどがある。
【０００３】
ところで、最近では、上記のようなＶＣＲとＤＶＤレコーダーが一体化した複合機が提案されている。このような複合機は、ＶＣＲ部とＤＶＤレコーダー部にそれぞれタイマー予約を登録し実行させる機能を有している。また、１つのタイマー予約登録用のＧＵＩからＶＣＲ部とＤＶＤレコーダー部に対して同様の操作方法でタイマー予約を登録しようする市場ニーズも向上している。
【０００４】
この種の複合機の従来技術としては、例えば特開平１−２０８７５２号公報に示される予約操作付きの複数チャンネル同時録画装置が知られている。
【０００５】
この予約操作付きの複数チャンネル同時録画装置はタイマー予約を登録する際に開始時間と終了時間と録画元チャンネルと録画モードを設定し、その内容をタイマー予約内容として記録再生部に登録し録画を実行するように構成されている。
【特許文献１】特開平１−２０８７５２号公報
【発明の開示】
【発明が解決しようとする課題】
【０００６】
しかしながらこの編集装置では録画先と録画モードをそれぞれ個別に変更することは出来るが、録画先に対応した録画モードが選択されないと正しくタイマー予約登録をすることが出来ない。そのためユーザーの意図するタイマー予約登録を行えないという問題点があった。
【０００７】
本発明は、前記のような課題を解決するものでユーザーが簡単な操作でＶＣＲやＤＶＤレコーダーなどの録画モードの名称の違う複数の録画先に対して適切な録画モードを選択し正確にタイマー予約登録を実現する機能を有する映像音声記録再生装置を提供することを目的としている。
【課題を解決するための手段】
【０００８】
前述した目的を達成するために、請求項１に記載の発明は、録画モードを指定してタイマー予約を登録できる第１の記録再生部と第１の記録再生部とは名称の異なる録画モードを指定してタイマー予約を登録できる第２の記録再生部を１つの筐体に備える記録再生装置であって、前記第１の記録再生部および前記第２の記録再生部に対してタイマー予約内容を通知するタイマー予約通知部と、前記タイマー予約通知部に対して現在選択されている録画モードを通知する録画モード選択部と、前記タイマー予約通知部に対して現在選択されている録画先を通知する録画先選択部と、登録しようとしているタイマー予約内容をＴＶモニターに表示するＧＵＩ表示部とを備え、前記タイマー予約通知部は前記録画モード選択部と前記録画先選択部から通知された内容を前記録画先選択部の通知内容によって前記第１の記録再生部または前記第２の記録再生部を選択して通知するものである。
【０００９】
また請求項２の発明は、前記録画先選択部で録画先を前記第１の記録再生部から前記第２の記録再生部へ変更した際に、前記第２の記録再生部に対応した録画モードを自動で選択するものである。
【００１０】
また請求項３の発明は、前記録画モード選択部で録画モードを前記第１の記録再生部に対応した録画モードから前記第２の記録再生部に対応した録画モードへ変更した際に、前記第２の記録再生部を録画先として自動で選択するものである。
【００１１】
また請求項４の発明は、前記録画先選択部で録画先を前記第１の記録再生部から前記第２の記録再生部へ選択した際に、前記録画モード選択部で前記第２の記録再生部に対応した録画モードを自動で選択する際に、前記録画モード選択部で保持した前記第２の記録再生部の録画モードを選択するものである。
【００１２】
また請求項５の発明は、前記録画モード選択部で録画モードを選択する際に、前記第１の記録再生部に対応した録画モードから前記第２の記録再生部に対応した録画モードへ選択することは出来ず、前記録画先選択部でしか録画先を選択できないものである。
【００１３】
また請求項６の発明は、複数のタイマー予約登録先である前記第１の記録再生部と前記第２の記録再生部に対してタイマー予約を同一の前記ＧＵＩ表示から操作して録画先を前記第１の記録再生部から前記第２の記録再生部に修正する際に、前記第１の記録再生部に登録されたタイマー予約内容を削除し前記第２の記録再生部に同タイマー予約内容を新たに登録する一連の動作を自動で行うものである。
【発明の効果】
【００１４】
請求項１により、複数の異なる録画モードを持つ映像記録再生装置に対して１つのタイマー予約登録用ＧＵＩにより同様の操作方法で簡単にタイマー予約登録を行う映像音声記録再生装置を得る。
【００１５】
請求項２により、複数の異なる録画モードを持つ映像記録再生装置に対して１つのタイマー予約登録用ＧＵＩにより録画先を変更した際に、その録画先に対応した録画モードに自動で変更される映像音声記録再生装置を得る。
【００１６】
請求項３により、複数の異なる録画モードを持つ映像記録再生装置に対して１つのタイマー予約登録用ＧＵＩにより録画先の異なる録画モードを選択した際に、その録画モードに対応した録画先に自動で変更される映像音声記録再生装置を得る。
【００１７】
請求項４により、複数の異なる録画モードを持つ映像記録再生装置に対して１つのタイマー予約登録用ＧＵＩにより録画先を選択した際に、選択された録画先であって前回に選択された録画モードに自動で変更される映像音声記録再生装置を得る。
【００１８】
請求項５により、複数の異なる録画モードを持つ映像記録再生装置に対して１つのタイマー予約登録用ＧＵＩにより録画モードを選択した際に、録画モードを変更しただけでは録画先を自動で変更されない映像音声記録再生装置を得る。
【００１９】
請求項６により、複数の異なる録画モードを持つ映像記録再生装置に対して１つのタイマー予約登録用ＧＵＩにより既に登録したタイマー予約内容の録画先を変更する際に、既に登録された側の録画先のタイマー予約内容を削除し、変更先の録画先には、既に登録された内容から録画先だけを変更したものを新たに登録することを自動で行う映像音声記録再生装置を得る。
【発明を実施するための最良の形態】
【００２０】
以下、本発明の実施の形態について図面を用いて説明する。
【００２１】
（実施の形態１）
図１は本発明の実施の形態１での映像音声記録再生装置の構成を示すブロック図である。
【００２２】
図１において、１はアナログ映像音声情報を磁気テープで記録再生することができる第１の記録再生部であり、いわゆるＶＣＲに相当するものである。タイマー予約内容を保持しそれを実行する役割を有する。なお、第１の記録再生部１はＶＣＲと異なる録画モードを持つＤＶＤ（Ｄｉｇｉｔａｌ  Ｖｅｒｓａｔｉｌｅ  Ｄｉｓｃ）やＨＤＤ（Ｈａｒｄ  Ｄｉｓｃ  Ｄｒｉｖｅ）等であっても構わない。また、ＤＶＤやＨＤＤ以外の記録媒体であっても構わない。さらに、信号方式はアナログに限るものでもない。
【００２３】
２はデジタル映像音声情報をデジタル記録媒体で記録再生することができる第２の記録再生部であり、本実施の形態ではＤＶＤ等のように、装置に対して着脱自在な記録媒体を想定しているが、ＨＤＤのような着脱不可能な固定式の記録媒体であってもよく、特に媒体を限定するものではない。タイマー予約内容を保持しそれを実行する役割を有する。なお、第２の記録再生部２はＤＶＤ等と異なる録画モードを持つＶＣＲであっても構わない。また、ＤＶＤやＨＤＤ以外の記録媒体であっても構わない。
【００２４】
３は第１の記録再生部１および第２の記録再生部２にタイマー予約内容を通知するタイマー予約通知部である。タイマー予約とは決められた開始時間と終了時間と録画元チャンネルと録画モードと録画先でビデオテープやＤＶＤやＨＤＤ等の記録媒体に録画を自動で実行する動作のことである。
【００２５】
４はタイマー予約内容を構成する際に必要な情報である録画モードをタイマー予約通知部３へ通知する録画モード選択部である。録画モードとは第１の記録再生部１および第２の記録再生部２で録画を実行する際に定められ容量で録画できる時間と再生画質に影響を与えるテープ速度および記録レートを示す。
【００２６】
ビデオテープであれば、「標準モード」と「３倍モード」と「５倍モード」と「標準３倍モード」といった録画モードが存在する。ＤＶＤやＨＤＤであれば、「ＸＰ」と「ＳＰ」と「ＬＰ」と「ＥＰ」と「ＦＲ（フレキシブル・レコーディング）」といった録画モードが存在する。これらの名称は、定められ容量で録画できる時間と再生画質に影響を与えるテープ速度および記録レートであれば、他にも存在するものである。
【００２７】
５はタイマー予約内容を構成する際に必要な情報である録画先をタイマー予約通知部３へ通知する録画先選択部である。
【００２８】
６はリモコンや本体キーやＧＵＩ画面入力などのユーザー入力や表示管やＧＵＩ画面表示など表示手段に表示出力を行うＧＵＩ表示部である。本実施の形態では、ユーザー入力の手段としてリモコンや本体キーやＧＵＩ画面入力を挙げたがユーザーが入力または操作する手段ならばこれ以外のものも含む。また、出力として表示管やＧＵＩ画面表示を挙げたがユーザーに対して通知または表示する手段であればこれら以外のものも含む。タイマー予約内容を構成する際に必要な情報である開始時間と終了時間と録画元チャンネルと録画モードと録画先を選択し第１の記録再生部または第２の記録再生部にタイマー予約を登録させることが出来る。
【００２９】
以上のように構成された映像音声記録再生装置の動作を図２、図３、図４、図５、図６を用いて以下に説明する。
【００３０】
図２はタイマー予約登録時のＧＵＩ表示における録画先選択処理と録画モード選択処理を説明するためのフローチャートである。録画先や録画モードが選択されると、その選択された内容をＧＵＩ表示部６に表示するための処理である。
【００３１】
Ｓ０００はＧＵＩ表示部６がリモコンや本体キー操作等のユーザー操作によってタイマー予約を登録するためのＧＵＩを表示するタイマー予約登録用ＧＵＩ表示Ｓ０００である。なお、本ＧＵＩ内容は既に登録されているタイマー予約内容の修正をするためのものであっても構わない。
【００３２】
Ｓ１００はタイマー予約登録用ＧＵＩ表示Ｓ０００で表示するための録画先情報や録画モード情報の初期化を行う初期化処理Ｓ１００である。録画モードを表示するための情報を保持している録画モード表示バッファに初期情報を与え、録画先を表示するための情報を保持している録画先表示バッファに初期情報を与える。
【００３３】
Ｓ００１はＧＵＩ表示部６で録画先が選択され変更されたかどうかを検出する録画先選択Ｓ００１である。録画先が選択されていれば録画先選択処理Ｓ２００が実行され、録画先が選択されていなければ録画モード選択Ｓ００２が実行される。
【００３４】
Ｓ２００はＧＵＩ表示部６で選択された録画先によって、その録画先に対応した録画モードを選択するかどうかを判断する録画先選択処理Ｓ２００である。
【００３５】
Ｓ００２はＧＵＩ表示部６で録画モードが選択され変更されたかどうかを検出する録画モード選択Ｓ００２である。録画モードが選択されていれば録画モード選択処理Ｓ３００が実行され、録画モードが選択されていなければ録画モード表示バッファ内容表示Ｓ００３が実行される。
【００３６】
Ｓ３００はＧＵＩ表示部６で選択された録画モードによって、その録画モードに対応した録画先を選択するかどうかを判断する録画モード選択処理Ｓ３００である。
【００３７】
Ｓ００３はＧＵＩ表示部６において録画モード表示バッファの内容を表示するための録画モード表示バッファ内容表示Ｓ００３である。
【００３８】
Ｓ００４はＧＵＩ表示部６において録画先表示バッファの内容を表示するための録画先表示バッファ内容表示Ｓ００４である。
【００３９】
図３はタイマー予約登録時のＧＵＩ表示における録画先と録画モードの初期化処理を説明するためのフローチャートである。
【００４０】
Ｓ１０１は第１の記録再生部で保持している現在の録画モードを録画モード前回値用バッファＡへ格納する処理である。
【００４１】
Ｓ１０２は第２の記録再生部で保持している現在の録画モードを録画モード前回値用バッファＢへ格納する処理である。
【００４２】
Ｓ１０３は録画モード表示用バッファに録画モード前回値用バッファＡを格納する処理である。なお録画モード表示用バッファに録画モード前回値用バッファＢを格納しても構わない。
【００４３】
Ｓ１０４は録画先表示用バッファに第１の記録再生部を格納する処理である。なお録画先表示用バッファに第２の記録再生部を格納しても構わない。
【００４４】
図４はタイマー予約登録時のＧＵＩ表示において、録画先選択部５で録画先が選択された時の処理を説明するためのフローチャートである。
【００４５】
Ｓ２００によって録画先選択処理が開始され、選択した録画先が第１の記録再生部である場合と第２の記録再生部である場合に条件分岐するＳ２０１がある。
【００４６】
Ｓ２１１は、選択された録画先が第１の記録再生部である場合に、Ｓ２０１によって分岐され実行する処理である。録画先の前回値は第２の記録再生部であるので、録画モード表示用バッファの内容が録画モード前回値用バッファＢへ格納される。
【００４７】
Ｓ２１２は、選択された録画先が第１の記録再生部であるので、録画モード前回値用バッファＡの内容が録画モード表示用バッファへ格納される処理である。
【００４８】
Ｓ２１３は、第１の記録再生部が録画先として録画先表示用バッファへ格納される処理である。
【００４９】
Ｓ２２１は、選択された録画先が第２の記録再生部である場合に、Ｓ２０１によって分岐され実行する処理である。録画先の前回値は第１の記録再生部であるので、録画モード表示用バッファの内容が録画モード前回値用バッファＡへ格納される。
【００５０】
Ｓ２２２は、選択された録画先が第２の記録再生部であるので、録画モード前回値用バッファＢの内容が録画モード表示用バッファへ格納される処理である。
【００５１】
Ｓ２２３は、第２の記録再生部が録画先として録画先表示用バッファへ格納される処理である。
【００５２】
録画モード前回値用バッファＡおよび録画モード前回値用バッファＢおよび録画モード表示用バッファおよび録画先表示用バッファは、録画モード選択部４および録画先選択部５およびＧＵＩ表示部６で共通使用されるメモリ領域である。
【００５３】
図５はタイマー予約登録時のＧＵＩ表示において、録画モード選択部４で録画モードが選択された時の処理を説明するためのフローチャートである。
【００５４】
Ｓ３００によって録画モード選択処理が開始され、現在の録画先が第１の記録再生部である場合と第２の記録再生部である場合に条件分岐するＳ３０１がある。現在の録画先が第２の記録再生部である場合は、Ｓ３１０が実行される。また現在の録画先が第１の記録再生部である場合は、Ｓ３２０が実行される。
【００５５】
Ｓ３１１は、選択された録画モードが第２の記録再生部に対応した録画モードから第１の記録再生部に対応した録画モードへ変化した場合に、Ｓ３１０によって分岐され実行する処理である。第２の記録再生部の録画モードを録画モード前回値バッファＢへ格納する。
【００５６】
Ｓ３１２は、選択された録画モードが第１の記録再生部の録画モードであるので、録画モード前回値用バッファＡが録画モード表示用バッファへ格納される処理である。
【００５７】
Ｓ３１３は、第１の記録再生部が録画先として録画先表示用バッファへ格納される処理である。
【００５８】
Ｓ３２１は、選択された録画モードが第１の記録再生部に対応した録画モードから第２の記録再生部に対応した録画モードへ変化した場合に、Ｓ３２０によって分岐され実行する処理である。第１の記録再生部の録画モードを録画モード前回値バッファＡへ格納する。
【００５９】
Ｓ３２２は、選択された録画モードが第２の記録再生部の録画モードであるので、録画モード前回値用バッファＢが録画モード表示用バッファへ格納される処理である。
【００６０】
Ｓ３２３は、第２の記録再生部が録画先として録画先表示用バッファへ格納される処理である。
【００６１】
Ｓ３３１はＳ３１０によって第２の記録再生部用の録画モードから第１の記録再生部用の録画モードへ変化しなかった場合に、選択した第２の記録再生部用の録画モードを録画モード前回値用バッファＢへ格納する処理である。
【００６２】
Ｓ３３２はＳ３２０によって第１の記録再生部用の録画モードから第２の記録再生部用の録画モードへ変化しなかった場合に、選択した第１の記録再生部用の録画モードを録画モード前回値用バッファＡへ格納する処理である。
【００６３】
Ｓ３３３は選択した録画モードを録画モード表示用バッファへ格納する処理である。
【００６４】
図６はタイマー予約登録時のＧＵＩ表示において、録画先と録画モードの関係を表した図表である。録画先がＤＶＤまたはＨＤＤである時の録画モードは、「ＸＰ」と「ＳＰ」と「ＬＰ」と「ＥＰ」と「ＦＲ」と表現される。また録画先がＶＣＲである時の録画モードは、「標準」と「３倍」と「５倍」と「標準３倍（通常は標準モードで記録されるが、記録媒体の残量に応じて自動的に３倍モードに切り換えるモード）」と表現される。ＤＶＤとＨＤＤの録画モードは同じであるが、ＶＣＲとＤＶＤ、またはＶＣＲとＨＤＤは録画モードが根本的に異なる。第１の記録再生部１はＶＣＲに相当し、第２の記録再生部２はＤＶＤまたはＨＤＤが相当する。あるいはその逆であっても構わない。
【００６５】
なお、第２の記録再生部の各モードにおける映像信号の画質（解像度やビットレート）は、「ＸＰ」が最も高く、以下「ＳＰ」「ＬＰ」「ＥＰ」と順に低くなる。また、第１の記録再生部の各モードにおける映像信号の画質は、「標準」が最も高く、以下「３倍」「５倍」と順に低くなる。なお、第１の記録再生部における「標準３倍」と第２の記録再生部における「ＦＲ」は、記録モードが自動で切り替わるモードである。
【００６６】
ユーザー操作によって録画先がＶＣＲからＤＶＤまたはＨＤＤに選択された場合に録画先選択部５で録画先の選択と録画モードの選択処理が行われる。ＶＣＲからＤＶＤまたはＶＣＲからＨＤＤといった録画モードの名称の異なる録画先の変更が行われたので、録画先の変更に伴い録画モードも変更する。この時に選択される録画モードは、以前にＤＶＤまたはＨＤＤの録画モードを選択していなければ、現在のＤＶＤまたはＨＤＤの録画モードが選択される。または以前にＤＶＤまたはＨＤＤの録画モードを選択していれば、その録画モードが選択される。なお、録画先の選択がＤＶＤからＶＣＲ、またはＨＤＤからＶＣＲであっても構わない。あるいは図６で示した図表のようにＶＣＲとＤＶＤ、またはＶＣＲとＨＤＤのそれぞれ対応している録画モードに変換しても構わない。
【００６７】
例えばＶＣＲの録画モードが「標準」であった場合はＤＶＤまたはＨＤＤの録画モードは「ＳＰ」となり、ＶＣＲの録画モードが「３倍」であった場合はＤＶＤまたはＨＤＤの録画モードは「ＬＰ」となり、ＶＣＲの録画モードが「５倍」であった場合はＤＶＤまたはＨＤＤの録画モードは「ＥＰ」となり、ＶＣＲの録画モードが「標準３倍」であった場合はＤＶＤまたはＨＤＤの録画モードは「ＦＲ」となる。
【００６８】
なお、録画先の選択がＤＶＤからＶＣＲ、またはＨＤＤからＶＣＲであった場合は、例えばＤＶＤまたはＨＤＤの録画モードが「ＸＰ」であった場合はＶＣＲの録画モードは「標準」となり、ＤＶＤまたはＨＤＤの録画モードが「ＳＰ」であった場合はＶＣＲの録画モードは「標準」となり、ＤＶＤまたはＨＤＤの録画モードが「ＬＰ」であった場合はＶＣＲの録画モードは「３倍」となり、ＤＶＤまたはＨＤＤの録画モードが「ＥＰ」であった場合はＶＣＲの録画モードは「５倍」となり、ＤＶＤまたはＨＤＤの録画モードが「ＦＲ」であった場合はＶＣＲの録画モードは「標準３倍」となる。本実施の形態では、各記録再生部における各録画モードの組み合わせを図６に示したが、録画モードの変換はこの例にとどまらない。
【００６９】
また、図６において、録画先がＤＶＤ／ＨＤＤの録画モード「ＸＰ」に対応したＶＣＲの録画モードを「＊＊＊」と表記しているが、これは「ＸＰ」に設定されたＤＶＤ／ＨＤＤから録画先をＶＣＲに変更した時の、ＶＣＲの録画モードについては様々な例が考えられることを意味している。つまり、前述では「ＸＰ」に対応するＶＣＲの録画モードは「標準」としたが、「標準」以外の他のモードでもよいし、あるいは変更を禁止するように制御してもよい。
【００７０】
ユーザー操作によって、録画モードがＶＣＲの録画モードからＤＶＤまたはＨＤＤの録画モードに選択された場合に、録画モード選択部４で録画モードの選択と録画先の選択処理が行われる。ＶＣＲの録画モードからＤＶＤまたはＨＤＤの録画モードといった録画先が変更される録画モードの変更が行われたので、録画モードの変更に伴い録画先も変更する。ユーザー操作によって録画モードが選択されたが録画先の変更を伴わない場合は、録画モードのみを変更し録画先を変更しない。例えば録画モードの選択順がＸＰ→ＳＰ→ＬＰ→ＥＰ→ＦＲ→標準→３倍→５倍→標準３倍→ＸＰ→…とトグルで選択される場合、録画モードに対応した録画先に自動で変更される。例えば前述の録画モード選択順にならうと、ＨＤＤ→ＶＣＲ→ＨＤＤ→…またはＤＶＤ→ＶＣＲ→ＤＶＤ→…となる。ある録画モードに対応する録画先がＤＶＤやＨＤＤのように複数が存在する場合は、初期値はその映像記録再生装置で有効になっている記録再生部を選択し、以前に録画先を選択した場合は、その前回値の記録再生部を選択する。なお、録画先選択部５によって録画先と録画モードが連動して変更されるが、録画モード選択部４によって録画先は変更されず録画モードのみを変更する処理であっても構わない。例えば録画モード選択部４では録画モードの選択順が、録画先がＶＣＲであった場合は標準→３倍→５倍→標準３倍→標準→…とトグルで選択され、録画先がＤＶＤまたはＨＤＤであった場合はＸＰ→ＳＰ→ＬＰ→ＥＰ→ＦＲ→ＸＰ→…とトグルで選択される。
【００７１】
タイマー予約内容が決定されるとタイマー予約通知部３から録画先で選択された第１の記録再生部１または第２の記録再生部２にタイマー予約内容が登録される。登録された内容の録画先が修正された場合は、既に登録されている記録再生部のタイマー予約内容を削除し、修正された録画先に対応した記録再生部へタイマー予約が登録される。
【００７２】
以上のように本実施の形態によれば、タイマー予約設定後に録画先を一方の記録再生部から他方の記録再生部に変更する際、一方の記録再生部で設定した録画モードに対応した、他方の記録再生部の録画モードを、自動的に設定することにより、使い勝手を向上させることができる。
【産業上の利用可能性】
【００７３】
本発明は、複数の記録媒体へタイマー予約を登録する機能に関するものであり、前記の説明ではＶＣＲからＤＶＤまたはＨＤＤへのタイマー予約登録について説明したが、他の記録再生部であっても構わない。
【図面の簡単な説明】
【００７４】
【図１】本発明の実施の形態における映像記録再生装置の構成を示すブロック図
【図２】同実施の形態においてタイマー予約の登録において録画先と録画モードを選択する処理を示すフローチャート
【図３】同実施の形態においてタイマー予約の登録の初期化処理を示すフローチャート
【図４】同実施の形態においてタイマー予約の登録において録画先選択処理を示すフローチャート
【図５】同実施の形態においてタイマー予約の登録において録画モード選択処理を示すフローチャート
【図６】同実施の形態においてタイマー予約の登録において録画先と録画モードの関係を示す図
【符号の説明】
【００７５】
１    第１の記録再生部
２    第２の記録再生部
３    タイマー予約通知部
４    録画モード選択部
５    録画先選択部
６    ＧＵＩ表示部
【図１】
2005346861.tif 000003
【図２】
2005346861.tif 000004
【図３】
2005346861.tif 000005
【図４】
2005346861.tif 000006
【図５】
2005346861.tif 000007
【図６】
2005346861.tif 000008